(57)【要約】【課題】本発明は、検査を良好に行うことができる液晶表示パネルの検査用パレットを提供することを目的とする。【解決手段】検査用パレット１０は、第１開口部１４を有する枠状の第１フレーム１２と、第１フレーム１２に取り付けられ、第１開口部１４と連通する第２開口部１８を有し、検査の対象となる表示領域２２を有する液晶表示パネル２０を、表示領域２２が第２開口部１８とオーバーラップするように支持する枠状の第２フレーム１６と、を有する。第２フレーム１６は、第１フレーム１２から第１開口部１４の上方であって内側に向かって斜めに立ち上がる遮光板２４を含む。遮光板２４は、第１開口部１４から第２開口部１８の方向に進行する光を、表示領域２２の外側で遮る。【選択図】図３
2010175892.tif 000002
【特許請求の範囲】
【請求項１】
第１開口部を有する枠状の第１フレームと、
前記第１フレームに取り付けられ、前記第１開口部と連通する第２開口部を有し、検査の対象となる表示領域を有する液晶表示パネルを、前記表示領域が前記第２開口部とオーバーラップするように支持する枠状の第２フレームと、
を有し、
前記第２フレームは、前記第１フレームから前記第１開口部の上方であって内側に向かって斜めに立ち上がる遮光板を含み、
前記遮光板は、前記第１開口部から前記第２開口部の方向に進行する光を、前記表示領域の外側で遮ることを特徴とする液晶表示パネルの検査用パレット。
【請求項２】
請求項１に記載された液晶表示パネルの検査用パレットにおいて、
前記第２開口部は、前記第１開口部よりも小さく、前記表示領域と同じか又はこれよりも大きく、前記液晶表示パネルの外形よりも小さいことを特徴とする液晶表示パネルの検査用パレット。
【請求項３】
請求項１又は２に記載された液晶表示パネルの検査用パレットにおいて、
前記第２フレームは、前記液晶表示パネルと接触する、弾性体からなる接触部をさらに含み、
前記接触部は、前記遮光板に設けられていることを特徴とする液晶表示パネルの検査用パレット。
【請求項４】
請求項１から３のいずれか１項に記載された液晶表示パネルの検査用パレットにおいて、
前記液晶表示パネルの表示面に平行な方向へのスライドを規制するストッパをさらに有することを特徴とする液晶表示パネルの検査用パレット。
【発明の詳細な説明】
【技術分野】
【０００１】
本発明は、液晶表示パネルの検査用パレットに関する。
【背景技術】
【０００２】
液晶表示パネルをパレットに載せて正常に表示がなされるかどうかを検査することが行われている（特許文献１，２参照）。詳しくは、液晶表示パネルが載ったパレットを、光源の上に配置し、液晶表示パネルの表示領域に光を照射して検査を行う。
【先行技術文献】
【特許文献】
【０００３】
【特許文献１】特開平７−１４００４０号公報
【特許文献２】特開平８−３２４６７４号公報
【発明の概要】
【発明が解決しようとする課題】
【０００４】
液晶表示パネルの検査対象は、表示領域であるため、それ以外の領域に光が照射されると検査が難しくなるという問題があった。
【０００５】
本発明は、検査を良好に行うことができる液晶表示パネルの検査用パレットを提供することを目的とする。
【課題を解決するための手段】
【０００６】
（１）本発明に係る液晶表示パネルの検査用パレットは、第１開口部を有する枠状の第１フレームと、前記第１フレームに取り付けられ、前記第１開口部と連通する第２開口部を有し、検査の対象となる表示領域を有する液晶表示パネルを、前記表示領域が前記第２開口部とオーバーラップするように支持する枠状の第２フレームと、を有し、前記第２フレームは、前記第１フレームから前記第１開口部の上方であって内側に向かって斜めに立ち上がる遮光板を含み、前記遮光板は、前記第１開口部から前記第２開口部の方向に進行する光を、前記表示領域の外側で遮ることを特徴とする。本発明によれば、遮光板によって表示領域の外側で光が遮られるので、液晶表示パネルの表示領域の表示検査を良好に行うことができる。
【０００７】
（２）（１）に記載された液晶表示パネルの検査用パレットにおいて、前記第２開口部は、前記第１開口部よりも小さく、前記表示領域と同じか又はこれよりも大きく、前記液晶表示パネルの外形よりも小さいことを特徴としてもよい。
【０００８】
（３）（１）又は（２）に記載された液晶表示パネルの検査用パレットにおいて、前記第２フレームは、前記液晶表示パネルと接触する、弾性体からなる接触部をさらに含み、前記接触部は、前記遮光板に設けられていることを特徴としてもよい。
【０００９】
（４）（１）から（３）のいずれか１項に記載された液晶表示パネルの検査用パレットにおいて、前記液晶表示パネルの表示面に平行な方向へのスライドを規制するストッパをさらに有することを特徴としてもよい。
【図面の簡単な説明】
【００１０】
【図１】本発明の実施の形態に係る液晶表示パネルの検査用パレットを示す平面図である。
【図２】図１に示す液晶表示パネルの検査用パレットを示す側面図である。
【図３】図１に示す液晶表示パネルの検査用パレットのIII-III線断面の拡大図である。
【図４】本発明の実施の形態に係る液晶表示パネルの検査用パレットを使用した検査方法を説明する図である。
【発明を実施するための形態】
【００１１】
以下、本発明の実施の形態について、図面を参照して説明する。
【００１２】
図１は、本発明の実施の形態に係る液晶表示パネルの検査用パレットを示す平面図である。図２は、図１に示す液晶表示パネルの検査用パレットを示す側面図である。図３は、図１に示す液晶表示パネルの検査用パレットのIII-III線断面の拡大図である。
【００１３】
検査用パレット１０は、第１フレーム１２を有する。第１フレーム１２は枠状をなしており、第１開口部１４を有する。第１開口部１４を光が通過するようになっている。
【００１４】
第１フレーム１２には第２フレーム１６が取り付けられている。第２フレーム１６は、枠状をなしており、第１開口部１４と連通する第２開口部１８を有する。第１開口部１４及び第２開口部１８を光が通過するようになっている。ただし、第２開口部１８は、第１開口部１４よりも小さい。
【００１５】
第２フレーム１６は、検査対象の液晶表示パネル２０を支持する。液晶表示パネル２０は、表示領域２２を有し、表示領域２２が第２開口部１８とオーバーラップする（詳しくは表示領域２２の投影面が第２開口部１８と重なる）ように、第２フレーム１６に支持される。第２開口部１８は、検査対象の液晶表示パネル２０の表示領域２２と同じか又はこれよりも大きく、液晶表示パネル２０の外形よりも小さい。
【００１６】
第２フレーム１６は、遮光板２４を含む。遮光板２４は、第１フレーム１２から第１開口部１４の上方であって内側に向かって斜め（例えばα＝６０°）に立ち上がる。遮光板２４の、立ち上がった上端の辺によって第２開口部１８が形成されている。
【００１７】
遮光板２４が斜めに立ち上がるので、第２開口部１８よりも大きい第１開口部１４から、斜め内側方向に傾いて入射した光も、第２開口部１８を通過する。傾いた光は液晶表示パネル２０の表示領域２２に入射する。したがって、外側から内側に傾いた光が表示領域２２を通過するので、表示領域２２の中央部上方でも、表示領域２２の端部の検査が可能である。つまり、表示領域２２の端部において常に暗くなるという不具合がなくなる。
【００１８】
遮光板２４は、第１開口部１４から第２開口部１８の方向に進行する光を、表示領域２２の外側で遮る。つまり、遮光板２４と液晶表示パネル２０との間からは光が漏れ出ない。遮光板２４によって表示領域２２の外側で光が遮られるので、液晶表示パネル２０の表示領域２２の表示検査を良好に行うことができる。
【００１９】
第２フレーム１６は、ゴムなどの弾性体からなる接触部２６を含む。接触部２６が液晶表示パネル２０と接触（例えば密着）することで、液晶表示パネル２０と第２フレーム１６との隙間をなくすことができる。接触部２６は、遮光板２４に設けられており、接触部２６の辺によって第２開口部１８が形成されていてもよい。
【００２０】
検査用パレット１０は、液晶表示パネル２０の表示面に平行な方向へのスライドを規制するストッパ２８を有する。ストッパ２８によって、検査用パレット１０を傾けても液晶表示パネル２０が脱落しないようになっている。ストッパ２８は、第２開口部１８と表示領域２２が合致するように、液晶表示パネル２０の位置決めにも使用できるようになっている。すなわち、ストッパ２８によって、液晶表示パネル２０の位置が決まるので、これにより、第２開口部１８と表示領域２２が合致する。
【００２１】
図４は、本発明の実施の形態に係る液晶表示パネルの検査用パレットを使用した検査方法を説明する図である。
【００２２】
検査用パレット１０は、液晶表示パネル２０を搬送するためにも使用し、搬送時には水平に配置して液晶表示パネル２０を搬送する。また、液晶表示パネル２０を載せるときには検査用パレット１０を水平に配置してもよい。
【００２３】
検査を行うときには、検査用パレット１０を斜め（例えば０°≦β≦８０°）に立てて使用する。検査用パレット１０を斜めに立てることで液晶表示パネル２０も斜めに立てることができ、検査工程を行いやすくなる。検査用パレット１０は、上述したようにストッパ２８を有するので、斜めにしても液晶表示パネル２０が脱落しない。
【００２４】
検査用パレット１０の、液晶表示パネル２０とは反対側には、検査用バックライト３０を配置する。検査用バックライト３０の光によって、液晶表示パネル２０の表示領域２２の表示検査を行う。この検査を行うときの、本実施の形態に係る検査用パレット１０を使用したことによる効果は上述した通りである。
【００２５】
本発明は、上述した実施の形態に限定されるものではなく種々の変形が可能である。例えば、実施の形態で説明した構成は、実質的に同一の構成、同一の作用効果を奏する構成又は同一の目的を達成することができる構成で置き換えることができる。
【符号の説明】
【００２６】
１０  検査用パレット、１２  第１フレーム、１４  第１開口部、１６  第２フレーム、１８  第２開口部、２０  液晶表示パネル、２２  表示領域、２４  遮光板、２６  接触部、２８  ストッパ、３０  バックライト。
【図１】
2010175892.tif 000003
【図２】
2010175892.tif 000004
【図３】
2010175892.tif 000005
【図４】
2010175892.tif 000006